(57)【要約】【課題】直感的で違和感のない操作を可能にして操作性を向上させる。【解決手段】  撮影機器は、筐体内に配設され光学系の機能毎に上記光学系を駆動する機構部と、上記筐体外面に配設されるタッチパッドと、上記タッチパッドのタッチ位置を検出するタッチ検出部と、上記機構部による上記光学系の各機能を実現する各駆動に夫々対応する各方向に基づいて、上記タッチ位置の変化方向から上記光学系の各機能を実現するための操作を判定するタッチ判定部とを具備する。【選択図】図１
2014045276.tif 000002
【特許請求の範囲】
【請求項１】
筐体内に配設され光学系の機能毎に上記光学系を駆動する機構部と、
上記筐体外面に配設されるタッチパッドと、
上記タッチパッドのタッチ位置を検出するタッチ検出部と、
上記機構部による上記光学系の各機能を実現する各駆動に夫々対応する各方向に基づいて、上記タッチ位置の変化方向から上記光学系の各機能を実現するための操作を判定するタッチ判定部と
を具備したことを特徴する撮影機器。
【請求項２】
上記タッチ判定部の判定結果に基づいて、操作の状態を示す表示を表示する表示部
を具備したことを特徴する請求項１に記載の撮影機器。
【請求項３】
上記タッチパッドは、鏡筒の外周面に配設される
ことを特徴する請求項１又は２に記載の撮影機器。
【請求項４】
上記光学系の機能は、フォーカシング機能、ズーム機能、絞り機能及び絞り込みプレビュー機能のうちの少なくとも１つである
ことを特徴する請求項１乃至３のいずれか１つに記載の撮影機器。
【請求項５】
上記タッチ判定部は、上記タッチ位置の変化方向から、上記光学系の複数の機能を実現するための操作を判定可能である
ことを特徴する請求項１乃至４のいずれか１つに記載の撮影機器。
【請求項６】
上記タッチ判定部は、上記タッチ位置の変化量に基づいて、上記光学系の各機能を実現するための制御量を求める
ことを特徴する請求項１乃至５のいずれか１つに記載の撮影機器。
【請求項７】
上記タッチ判定部は、上記タッチ位置の単位時間当たりの変化量に基づいて、上記光学系の各機能を実現するための制御量を求める
ことを特徴する請求項１乃至５のいずれか１つに記載の撮影機器。
【発明の詳細な説明】
【技術分野】
【０００１】
本発明は、タッチパッドを備えた撮影機器に関する。
【背景技術】
【０００２】
近年、デジタルカメラなどの撮影機能付き携帯機器（撮影機器）が普及している。この種の撮影機器においては、ズームレンズを採用して光学ズーム機能を備えたものがある。ユーザーのズーム操作に応答してズームレンズを光軸方向に進退させることで、光学的なズームが可能である。また、カメラ本体にレンズ情報を送信する撮影レンズが装着されることもある。この場合には、カメラ本体においてレンズ情報に基づいて処理変数等を書き換えて、撮影レンズを制御可能である。
【０００３】
また、撮影機器においては表示部にメニュー画面を表示して、撮影機器の操作を容易にしたものがある。この表示部にタッチパネルを配置することにより、タッチパネルに対するタッチ操作によって撮影機器の操作が可能である。このような撮影機器では、ズームや絞りの調整等を、タッチパネル操作によって行うことも可能である。
【０００４】
更に、特許文献１においては、タッチパッドをレンズ鏡筒に配設して、タッチパッドのタッチ操作によって、ズーム調整等を可能にしたレンズ鏡筒も開発されている。特許文献１のレンズ鏡筒においては、ズーム調整等のための回動操作部材を配設する必要が無く、操作時に発生する振動を防止することができ、画像ブレを低減しやすい。また、回動操作部材を設ける必要が無いことから、レンズ鏡筒の密閉度を向上させ優れた防塵防滴効果を得ることができる。
【先行技術文献】
【特許文献】
【０００５】
特開２０１０−１１７４４４号公報
【発明の概要】
【発明が解決しようとする課題】
【０００６】
しかしながら、特許文献１の発明においては、操作毎に異なるタッチパッドを操作する必要があり操作性が悪く、また直感的な操作もできないという問題があった。
【０００７】
本発明は、直感的で違和感のない操作を可能にして操作性を向上させることができる撮影機器を提供することを目的とする。
【課題を解決するための手段】
【０００８】
本発明に係る撮影機器は、筐体内に配設され光学系の機能毎に上記光学系を駆動する機構部と、上記筐体外面に配設されるタッチパッドと、上記タッチパッドのタッチ位置を検出するタッチ検出部と、上記機構部による上記光学系の各機能を実現する各駆動に夫々対応する各方向に基づいて、上記タッチ位置の変化方向から上記光学系の各機能を実現するための操作を判定するタッチ判定部とを具備する。
【発明の効果】
【０００９】
本発明によれば、直感的で違和感のない操作を可能にして操作性を向上させることができるという効果を有する。
【図面の簡単な説明】
【００１０】
【図１】本発明の第１の実施の形態に係る撮影機器の回路構成を示すブロック図。
【図２】光路部２１を構成する各レンズ群を光軸方向に沿って示す断面図。
【図３】光路部２１の具体的な構成の一例を示す説明図。
【図４】エンコーダ４２を構成するフォトインタラプタ（ＰＩ）を示す説明図。
【図５】絞り機構部２１ｃの具体的な構成の一例を示す分解斜視図。
【図６】タッチパッド２２ａとして対象物が所定の距離以内に近接していることを検出する光電センサ型のタッチパッドを採用した場合の検出の様子を示す説明図。
【図７】タッチ判定部２３ｃの判定処理を説明するための説明図。
【図８】タッチ判定部２３ｃの判定処理を説明するための説明図。
【図９】タッチ判定部２３ｃの判定フローを示すフローチャート。
【図１０】本体側のカメラ制御を説明するためのフローチャート。
【図１１】本発明の第２の実施の形態を示すブロック図。
【図１２】第２の実施の形態を説明するためのフローチャート。
【図１３】アニメーション表示の表示例を示す説明図。
【図１４】撮影の様子を示す説明図。
【図１５】タッチ操作を説明するための説明図。
【図１６】タッチパッド２２ａ上のタッチ位置の変化を説明するための説明図。
【図１７】判定フローを示すフローチャート。
【発明を実施するための形態】
【００１１】
以下、図面を参照して本発明の実施の形態について詳細に説明する。
【００１２】
（第１の実施の形態）
図１は本発明の第１の実施の形態に係る撮影機器の回路構成を示すブロック図である。本実施の形態における撮影機器１は、本体部１０及び交換レンズ２０によって構成されている。本体部１０は、撮影機器１の主要な回路部分が収納された筐体であり、前面に交換レンズ２０が着脱自在に取り付けられている。
【００１３】
交換レンズ２０は、鏡筒２２内に、本体部１０の撮像部１２に被写体像を導く光路部２１を有している。光路部２１は、ズームやフォーカシングのためのレンズ及び絞り等を備えており、これらのレンズ及び絞りを駆動するピント制御部２１ａ、ズーム制御部２１ｂ及び絞り機構部２１ｃを有する。ピント制御部２１ａ、ズーム制御部２１ｂ及び絞り機構部２１ｃは駆動部２４及び絞り制御部２５によって駆動制御されるようになっている。
【００１４】
図２は光路部２１を構成する各レンズ群を光軸方向に沿って示す断面図であり、無限遠合焦時等における各レンズ群の位置を示している。図２は光路部２１が第１乃至第５のレンズ群Ｇ１〜Ｇ５によって構成された例を示している。図２（Ａ）は無限遠合焦時（無限遠フォーカス時）のワイド端Ｗの状態を示し、図２（Ｂ），（Ｃ）は無限遠合焦時の中間状態Ｓｐ１，Ｓｐ２の状態を示し、図２（Ｄ）は無限遠合焦時のテレ端Ｔの状態を示している。
【００１５】
光路部２１は、図２に示すように、物体側から撮像部１２の撮像面（像面）Ｉに至る光軸上に（物体に近い側の位置から）順次配置された５つのレンズ群Ｇ１〜Ｇ５から構成される。負屈折力のレンズ群（物体側レンズ群）Ｇ１は３つのレンズｒ１〜ｒ３によって構成され、負屈折力のレンズ群Ｇ２（フォーカスレンズ）はレンズｒ４によって構成され、正屈折力のレンズ群Ｇ３は３つのレンズｒ５〜ｒ７によって構成され、負屈折力のレンズ群Ｇ４はレンズｒ８，ｒ９によって構成され、正屈折力のレンズ群Ｇ５はレンズｒ１０によって構成される。
【００１６】
レンズ群Ｇ１〜Ｇ５にうちレンズ群Ｇ１，Ｇ５は位置が固定されている。レンズ群Ｇ１，Ｇ５の間に配置された３つのレンズ群Ｇ２，Ｇ３，Ｇ４は可動光学系を形成する。具体的には、レンズ群Ｇ２は、ピント合わせによりフォーカス（合焦）状態に設定するために可動されるフォーカスレンズを構成する。またレンズ群Ｇ３，Ｇ４はフォーカス状態で変倍するズームレンズを構成する。
【００１７】
ワイド端からテレ端への変倍に際して、Ｇ１レンズ群は固定され、レンズ群Ｇ２は像側及び物体側に移動し、第３レンズ群Ｇ３は物体側にのみ移動し、Ｇ４レンズ群は物体側にのみ移動し、Ｇ５レンズ群は固定される。
【００１８】
これらのレンズ群Ｇ１〜Ｇ５は、駆動部２４によって駆動制御される。駆動部２４は制御部２３に構成された駆動制御部２３ａによって制御されて、レンズ群Ｇ１〜Ｇ５を駆動する。即ち、駆動制御部２３ａは、ワイド端とテレ端との間でズーミングを変化させる場合には、図２に示すように、レンズ群Ｇ２〜Ｇ４を連携して駆動して光軸方向の位置を移動させる。また、駆動制御部２３ａは、レンズ群Ｇ２を光軸方向に進退させることで、合焦動作を行う。
【００１９】
駆動部２４は、ピント制御部２１ａ及びズーム制御部２１ｂを制御することで、レンズ群Ｇ１〜Ｇ５を移動させる。ピント制御部２１ａは、駆動部２４に制御されてレンズ群Ｇ２を移動させる。また、ズーム制御部２１ｂは、駆動部２４に制御されてレンズ群Ｇ２〜Ｇ５を移動させる。
【００２０】
図３は光路部２１の具体的な構成の一例を示す説明図である。固定枠５１は鏡筒２２に固定されており、固定枠５１には、ピント制御部２１ａを構成するボイスコイルモータ（以下、ＶＣＭという）４３が取り付けられている。ＶＣＭ４３の回転軸は送りネジに連結され、この送りネジに可動レンズ枠５２が取り付けられている。可動レンズ枠５２に取り付けられたレンズ群Ｇ２は、可動レンズ枠５２と共に光軸方向に進退自在であり、ＶＣＭ４３の回転によってＧ２レンズ群を移動させることができる。
【００２１】
また、固定枠５１には、ズーム制御部２１ｂを構成するステッピングモータ（以下、ＳＭともいう）４４ａ，４４ｂが固定されており、ＳＭ４４ａ，４４ｂの回転軸（駆動軸）は、夫々送りネジに連結され、各送りネジには可動レンズ枠５３，５４が螺合されている。各可動レンズ枠５３，５４に夫々取り付けられたレンズ群Ｇ３，Ｇ４は、ＳＭ４４ａ，４４ｂを回転駆動させることにより、光軸方向に移動させることができる。なお、１つの駆動パルスをＳＭ４４ａ，４４ｂに印加した場合、ＳＭ４４ａ，４４ｂが１つの駆動パルスでＧ３，Ｇ４レンズ群を光軸方向に移動する移動量は送りネジのピッチにより決まる。
【００２２】
また、可動レンズ枠５３，５４は、付勢用バネ５５の各端部がそれぞれ固定されて、付勢用バネ５５により連結されている。付勢用バネ５５は、例えば図３（Ｂ）に示すようにＧ３−Ｇ４レンズ群間の距離が小さい状態においては、両レンズ群を小さな力量で引き寄せる方向に付勢する。また、図３（Ａ）に示すようにＧ３−Ｇ４レンズ群間の距離が大きい場合には、付勢用バネ５５は、大きく伸びて、両レンズ群を大きな力量で引き寄せる方向に付勢する。
【００２３】
フォーカス制御及びズーム制御を行うためには、各レンズ群Ｇ２〜Ｇ５の光軸方向の位置（以下、群位置という）を把握する必要がある。交換レンズ２０の制御部２３が群位置を把握するために、初期位置検出部２６ａ及び群位置検出部２６ｂが設けられている。初期位置検出部２６ａは各レンズ群Ｇ２〜Ｇ５の初期位置を検出し、群位置検出部２６ｂは各レンズ群Ｇ２−Ｇ４の群位置を検出する。
【００２４】
図３の例では、初期位置検出部２６ａ及び群位置検出部２６ｂは、エンコーダ４０、リニアエンコーダ４１及び複数のエンコーダ４２（４２ａ，４２ｂ）によって構成され、レンズ群Ｇ２〜Ｇ５の初期位置及び群位置を夫々検出する。
【００２５】
エンコーダ４０は、レンズ群Ｇ２の可動領域内における位置を検出する磁気抵抗効果センサ（以下、ＭＲセンサという）等によって構成されている。リニアエンコーダ４１はレンズ群Ｇ３の可動領域内における絶対的な位置を検出する。また、エンコーダ４２は、レンズ群Ｇ４の可動領域を分割した複数（具体例では４つ）の領域におけるどの領域内に位置するかを判定する例えばフォトインタラプタ（以下、ＰＩという）等によって構成される。
【００２６】
レンズ群Ｇ３は、ユーザ操作に応答して、光軸に沿って移動可能に構成されている。レンズ群Ｇ３の絶対的な位置を検出し、ユーザが設定したいズーム位置にレンズ群Ｇ４を追従させることで、ユーザ操作に対応したズーミングが可能となる。ユーザ操作によって変更されたレンズ群Ｇ３の群位置は、リニアエンコーダ４１により検出される。
【００２７】
図４はエンコーダ４２を構成するフォトインタラプタ（ＰＩ）を示す説明図である。図４（Ａ）に示すように、エンコーダ４２ａ，４２ｂ（以下、ＰＩ４２ａ，４２ｂともいう）は、いずれも発光部Ｈａ及び受光部Ｈｂを有し、発光部Ｈａと受光部Ｈｂとの間の物体による遮光の有無によって、位置を検出する。即ち、エンコーダ４２ａ，４２ｂは所定の間隔を有して配置され、可動レンズ枠５４に設けた凸片５４ａの通過を検出する。
【００２８】
図４（Ｂ）は凸片５４ａによる遮光状態を示している。図３（Ａ）の状態では、可動レンズ枠５４は像面側に位置し、凸片５４ａによってＰＩ４２ａ，４２ｂは遮光状態とならない。即ち、凸片５４ａは、図４（Ｂ）の領域Ｒ１に位置する。領域Ｒ２は凸片５４ａがＰＩ４２ｂのみを遮光状態とするものである。また、領域Ｒ３は凸片５４ａがＰＩ４２ｂ，ＰＩ４２ａの両方を遮光状態とするものであり、領域Ｒ４は凸片５４ａがＰＩ４２ａのみを遮光状態とするものであり、図３（Ｂ）の状態を示している。
【００２９】
なお、透過、遮光の関係を厳密には図示していないが、図３（Ａ）から図３（Ｂ）のようにＧ４レンズ群がワイド側からテレ側に動く場合に、ＰＩ４２ａ，４２ｂの遮光状態が変化して、領域Ｒ１から領域Ｒ４の状態の判定が可能となる。また、各群位置検出部２６ｂは、ＰＩ４２ａ，４２ｂの出力レベルが、ＬレベルからＨレベル、又はその逆に変化する位置を既知の基準位置Ｐｒ１，Ｐｒ２，Ｐｒ３として検出することもできるようになっている。
【００３０】
絞り機構部２１ｃは、絞り制御部２５に制御されて、絞りＳを駆動する。図２の矢印に示すように、絞りＳは、レンズ群Ｇ３を構成するレンズｒ５，ｒ６相互間に配置される。
【００３１】
図５は絞り機構部２１ｃの具体的な構成の一例を示す分解斜視図である。なお、図５は４枚の絞り羽根を有する例を示しているが、説明の簡略化のために、図５では１枚の絞り羽根のみを示している。
【００３２】
図５において、光量を制御する絞りＳは、レンズｒ５によって構成される前レンズ７１とレンズｒ６，ｒ７によって構成される後レンズ群７２との間において、前レンズ７１により光束が絞られる位置に配置される。図５の絞りＳは、鏡筒２２内に設けたが、本体部１０等に設けられることもある。図３のＳＭ４４ａの回転力を伝達する送りネジ７４によって、前レンズ７１及び後レンズ群７２を含むレンズ群Ｇ３は、一体的に光軸方向に進退移動するようになっている。これにより、フォーカシングが可能である。
【００３３】
絞りＳは、前レンズ７１側に設けられた矢車７５と、後レンズ群７２側に設けられた固定板８０とを有する。開口部材である固定板８０は、金属製、または遮光性を備えるように着色されたプラスチックなどの樹脂により射出形成される板状部材であり、中央には、絞りの全開状態を規定する真円状の光路開口部８１が中心をレンズ光軸に一致させて形成されている。固定板８０の光路開口部８１の周囲には、周方向の等間隔の異なる位置に、前レンズ７１側に向かって突出するように、絞り羽根８５の枚数だけ回転支軸８２が植設されている。
【００３４】
矢車７５は、光路開口部８１に対向した開口を有する回転部材である。矢車７５の外周には外歯車が形成されており、この外歯車とモータ７６の回転軸に取り付けられたピニオンギア７７とは噛合している。モータ７６の回転によって、矢車７５はレンズ光軸を中心に回動する。矢車７５には、周方向の等間隔の異なる位置に、後レンズ群７２側に向かって突出するように、絞り羽根８５の枚数だけ駆動軸である駆動ピン７８が植設されている。
【００３５】
矢車７５と固定板８０との間には、相互に同一形状の複数数（例えば４枚）の絞り羽根８５が設けられている。絞り羽根８５には、嵌合孔としての回転軸孔８６が設けられており、絞り羽根８５の回転軸孔８６に固定板８０の回転支軸８２を挿嵌することで、絞り羽根８５は固定板８０上において回転支軸８２を中心に回動自在に配置される。
【００３６】
また、絞り羽根８５は、回転支軸８２の回りの回転量を制御するために、所定の曲線形状に穿設された被駆動溝であるカム溝８７を有している。カム溝８７は長溝孔又はスロットである。矢車７５の駆動ピン７８はカム溝８７内に嵌入され、駆動ピン７８はカム溝８７と係合して、カム溝８７内を摺動自在である。矢車７５が固定板８０に対して相対的に回転することによって、駆動ピン７８がカム溝８７内で摺動してカム溝８７の位置を規定する。即ち、矢車７５の回転及びカム溝８７の形状に従った回転量で、絞り羽根８５が回転支軸８２を中心に回転する。
【００３７】
４つの絞り羽根８５は、各回転軸孔８６が夫々固定板８０に設けられた４つの回転支軸８２に挿嵌されて、光路開口部８１の周囲に円周状に配置される。駆動ピン７８は、カム溝８７の回転軸孔８６側の一端とその反対側の他端との間を移動する。この移動に伴って、絞り羽根８５が回転して、光路開口部８１内に進入又は待避する。
【００３８】
絞り羽根８５の光路開口部８１内への進入状態は、矢車７５と固定板８０との相対回転角度によって決定する。即ち、矢車７５と固定板８０との相対回転角度に応じて、絞りは全開（最大開放）状態、中間絞り状態、最大絞り状態に変化する。絞り制御部２５は、駆動制御部２３ａに制御されて、絞り機構部２１ｃを構成するモータ７６の回転を制御することで、絞りを調整する。
【００３９】
本実施の形態においては、鏡筒２２の表面には、ユーザによる撮影に関するパラメータ、例えば、ズームや絞りに関するパラメータの設定操作のために、タッチパッド２２ａ（図１の斜線部）が配設されている。例えば、タッチパッド２２ａは、鏡筒２２の表面の光軸方向の一部の領域に全周に渡って配設されている。なお、タッチパッド２２ａを鏡筒２２の周方向及び／又は光軸方向の一部の領域に配設してもよい。鏡筒２２の表面の一部の領域にタッチパッド２２ａを設け、タッチパッド２２ａ以外の部分を把持可能に構成することで、意図しない操作が行われることを防止することも可能である。
【００４０】
タッチパッド２２ａとしては、抵抗膜式、赤外線式、ＳＡＷ式、静電容量式、光電センサ型等の種々の方式を採用することができる。例えば、静電容量式と抵抗膜式とを組み合わせて、押す（接触する）という動きにＺ軸方向のパラメータを追加することで、接触する圧力を感知するフォースセンサ型を採用してもよい。
【００４１】
図６はタッチパッド２２ａとして対象物が所定の距離以内に近接していることを検出する光電センサ型のタッチパッドを採用した場合の検出の様子を示す説明図である。図６において、タッチパッド２２ａを構成する液晶パネル６０の各画素には光センサ６０ａが作り込まれている。液晶パネル６０の背面にはバックライト６１が配設されており、バックライト６１からの出射光６２の透過率を液晶パネル６０によって制御することで表示を行うことも可能である。
【００４２】
液晶パネル６０は、液晶パネル６０の前面に物体が接触するか又は前面に物体が近接すると、液晶パネル６０を透過したバックライト６１の出射光６２が物体によって反射し、この反射光６３が液晶パネル６０に作り込まれた光センサ６０ａによって検出されるようになっている。光センサ６０ａを液晶パネル６０内の画素毎、或いは適宜の間隔で配置し、いずれの位置の光センサ６０ａによって反射光６３の検出が行われたかによって、液晶パネル６０の前面に接触又は近接した物体の位置を検出することができる。
【００４３】
図６（Ａ）は物体６４が液晶パネル６０の前面に近接している状態を示し、図６（Ｂ）は物体６４が液晶パネル６０の前面に接している状態を示している。いずれの場合にも、物体６４による反射光６３が光センサ６０ａに入射して、物体６４が検知されるようになっている。また、図６（Ａ），（Ｂ）の物体６４が同一物である場合には、物体６４が液晶パネル６０の前面に押圧されることによる物体６４の変形についても光センサ６０ａの検出結果から判定することができる。なお、液晶パネル６０は、液晶パネル６０の前面の複数のポイントにおいて、接触又は近接した物体６４を検知可能である。
【００４４】
タッチ検出部２７は、タッチパッド２２ａに対するユーザ操作、例えばタッチ位置やスライド操作を検出して検出結果を制御部２３に出力する。制御部２３は、マイコン等によって構成されており、タッチ検出部２７の検出結果及び後述する本体部１０の信号処理及び制御部１１からの信号に基づいて、各部を制御する。タッチ判定部２３ｃは、タッチ検出部２７の検出結果に基づいて、ユーザ操作の内容を判定する。制御部２３の駆動制御部２３ａは、タッチ判定部２３ｃの判定結果及び信号処理及び制御部１１の制御に従って各種制御信号を発生する。例えば、駆動制御部２３ａは、フォーカス信号及びズーム信号を発生して、駆動部２４を制御する。また、駆動制御部２３ａは、絞り制御信号を発生して、絞り制御部２５を制御する。
【００４５】
駆動部２４は、フォーカス信号に基づいてピント制御部２１ａを駆動制御し、ズーム信号に基づいてズーム制御部２１ｂを駆動制御する。また、絞り制御部２５は、絞り制御信号に基づいて絞り機構部２１ｃを駆動制御する。
【００４６】
制御部２３は、初期位置検出部２６ａ及び群位置検出部２６ｂの検出結果が与えられ、タッチパッド２２ａを用いた操作に対応したピント位置、ズーム位置、絞り状態となるように駆動部２４及び絞り制御部２５を制御する。リセット部２３ｂは、電源投入時等におけるリセット動作を制御するものであり、各機構部を初期位置に設定する。
【００４７】
交換レンズ２０には、通信部２８が設けられている。また、本体部１０には通信部１３が設けられている。通信部２８は、所定の伝送路を介して本体部１０の通信部１３との間で情報の送受を行う。制御部２３は、本体部１０の通信部１３との間の通信が確立すると、記録部２６に格納したレンズ情報及びズーム操作に関するズーム情報等を通信部２８，１３によって本体部１０に送信させることができる。
【００４８】
レンズ情報により、本体部１０は、交換レンズ２０がどのようなズーム機能を有しているか、ズームレンズの焦点距離範囲（倍率）、焦点距離、明るさナンバー等を認識することができる。また、制御部２３は、タッチ判定部２３ｃからの判定結果の情報も本体部１０に送信することができる。また、制御部２３は、ピント位置、ズーム位置、絞り状態等の情報を本体部１０に送信してもよい。制御部２３は、通信部１３，２８を介して本体部１０の信号処理及び制御部１１から制御信号が供給されて、信号処理及び制御部１１によって制御可能に構成されている。
【００４９】
撮影機器１を構成する本体部１０は、ＣＣＤやＣＭＯＳセンサ等の撮像素子によって構成された撮像部１２を有している。撮像部１２は、本体部１０の前面に設けられた交換レンズ２０からの被写体像を光電変換して撮影画像を得る。撮像部１２は、信号処理及び制御部１１によって駆動制御されて、撮影画像を出力する。
【００５０】
信号処理及び制御部１１は、ＣＰＵ等によって構成されて撮影機器１の各部を制御する。信号処理及び制御部１１は、撮像部１２に撮像素子の駆動信号を出力すると共に、撮像部１２からの撮影画像を読み出す。信号処理及び制御部１１は、読み出した撮影画像に対して、所定の信号処理、例えば、色調整処理、マトリックス変換処理、ノイズ除去処理、その他各種の信号処理を行う。
【００５１】
本体部１０には、時計部１４及び操作判定部１５も配設されている。時計部１４は信号処理及び制御部１１が用いる時間情報を発生する。操作判定部１５は、本体部１０に設けられた図示しないレリーズボタン、ファンクションボタン、撮影モード設定等の各種スイッチ等を含む操作部に対するユーザ操作に基づく操作信号を発生して、信号処理及び制御部１１に出力するようになっている。信号処理及び制御部１１は、操作信号に基づいて、各部を制御する。
【００５２】
信号処理及び制御部１１は、信号処理後の撮影画像を圧縮処理し、圧縮後の画像を記録部１６に与えて記録させることができる。記録部１６としては、例えばカードインターフェースを採用することができ、記録部１６はメモリカード等の記録媒体に画像情報及び音声情報等を記録可能である。
【００５３】
信号処理及び制御部１１の表示制御部１１ａは表示に関する各種処理を実行する。表示制御部１１ａは、信号処理後の撮影画像を表示部３５に与えることができる。表示部３５は、ＬＣＤ等の表示画面を有しており、表示制御部１１ａから与えられた画像を表示する。また、表示制御部１１ａは、各種メニュー表示等をこれらの表示画面に表示させることもできるようになっている。
【００５４】
表示部３５は、後述するように、撮像画像を表示する表示画面３５ａを有している。また、表示画面３５ａ上には、タッチパネル３６が設けられている。タッチパネル３６は、ユーザが指で指し示した表示画面３５ａ上の位置に応じた操作信号を発生することができる。この操作信号は、信号処理及び制御部１１に供給される。これにより、信号処理及び制御部１１は、ユーザが表示画面３５ａ上をタッチしたりスライドさせたりした場合には、ユーザのタッチ位置、指を離間させる操作、スライド操作やスライド操作によって到達した位置、スライド方向、タッチしている期間等の各種操作を検出することができ、ユーザ操作に対応した処理を実行することができるようになっている。
【００５５】
なお、表示部３５は、本体部１０の例えば背面の略全域を占めるように配設されており（図７（Ａ）参照）、撮影者は、撮影時に表示部３５の表示画面３５ａ上に表示されたスルー画を確認することができ、スルー画を確認しながら撮影操作を行うことができる。
【００５６】
本実施の形態においては、上述したように、交換レンズ２０は、鏡筒２２に設けたタッチパッド２２ａのユーザ操作によって、フォーカシング、ズーミング、絞り調整等が可能である。タッチパッド２２ａのタッチ操作の内容を判定するために、制御部２３にはタッチ判定部２３ｃが設けられている。本実施の形態においては、タッチ判定部２３ｃは、光路部２１の各機構の動作に対応した方向に基づいて、ユーザのタッチ操作の方向から、操作内容を判定するようになっている。
【００５７】
図７及び図８はタッチ判定部２３ｃの判定処理を説明するための説明図である。図７（Ａ）は撮影機器１を構えて被写体を撮影する様子を示しており、図７（Ｂ）は表示部３５の表示画面３５ａの表示例を示している。
【００５８】
図７（Ａ）に示すように、撮影者９１はその左手９２Ｌで交換レンズ２０を支え、本体部１０上面の図示しないレリーズスイッチに人差し指９３ａを軽く触れながら本体部１０を右手９２Ｒで軽く把持して、撮影のために構えている。なお、図７（Ａ）では、被写体として建物９５及び山９６を背景にした人物９４を撮影する例を示している。この構えた態勢において背面からみると、図７（Ｂ）に示すように、スルー画（ライブビュー画像）９８が本体部１０の表示部３５の表示画面３５ａ上に表示されている。スルー画９８中には、人物９４、建物９５及び山に対応する画像９４ａ，９５ａ，９６ａが撮像されていることを示している。また、Ｆナンバーを示す表示９７も表示されている。
【００５９】
撮影者９１は、右手９２Ｒの人差し指９３ａによって図示しないレリーズスイッチを操作する。また、撮影者９１は左手９２Ｌによって鏡筒２２を支持しており、左手９２Ｌの各指によって鏡筒２２に配設されたタッチパッド２２ａに対するタッチ、スライド等の各種タッチ操作が可能である。
【００６０】
本実施の形態においては、タッチパッド２２ａに対する直感的な操作によって、フォーカシング、ズーミング、絞り調整等のための操作を行うことができるようになっている。
【００６１】
図８（Ａ）〜（Ｄ）は、鏡筒２２を光軸方向物体側から見たものであり、左手の掌を略上に向けた状態で、左手の親指１０１ｔと人差し指１０１ｉの先端側でタッチパッド２２ａをタッチしながら鏡筒２２を保持している状態を示している。
【００６２】
図８（Ａ），（Ｂ）は、タッチパッド２２ａを用いたズーム操作を示している。ユーザは、タッチパッド２２ａに接触している親指１０１ｔと人差し指１０１ｉとの間隔を維持しながら、親指１０１ｔと人差し指１０１ｉとを鏡筒２２の周方向に移動させる。例えば、図８（Ａ）に示す状態から矢印に示すように反時計方向に回転させて図８（Ｂ）の状態にする。タッチ判定部２３ｃは、図８（Ａ），（Ｂ）のようなスライド操作を検出すると、ズーム操作であるものと判定し、２本の指１０１ｔ，１０１ｉのタッチ位置の移動方向（回転方向）及び移動量に応じて、テレ方向又はワイド方向にズーム操作が行われたことを示す判定結果及び制御量を出力する。
【００６３】
ズーム機能を有する鏡筒には、ズーム操作のための操作リングが設けられていることがあり、図８（Ａ），（Ｂ）の操作は、この操作リングを回転させる操作に似ている。従って、ユーザは、図８（Ａ），（Ｂ）に示す回転操作を、ズーム操作のために操作として違和感なく実行することができる。
【００６４】
図８（Ｃ），（Ｄ）は、タッチパッド２２ａを用いた絞り操作を示している。ユーザは、タッチパッド２２ａに接触している親指１０１ｔと人差し指１０１ｉとの接触位置を、掌に近接する方向又は離間する方向、即ち、図８（Ｃ），（Ｄ）では下方向又は上方向に移動させる。例えば、図８（Ｃ）に示す状態から矢印に示すように２本の指１０１ｔ，１０１ｉを下方向にスライドさせて、指１０１ｔ，１０１ｉを掌側に移動させて図８（Ｄ）の状態にする。タッチ判定部２３ｃは、図８（Ｃ），（Ｄ）のようなスライド操作を検出すると、絞り操作であるものと判定し、２本の指１０１ｔ，１０１ｉのタッチ位置の移動方向（上下方向）及び移動量に応じて、絞りの開閉操作が行われたことを示す判定結果及び制御量を出力する。
【００６５】
図８（Ｄ）の状態は図８（Ｃ）の状態に比べて、２本の指１０１ｔ，１０１ｉの間隔が狭くなっており、ユーザにとって、図８（Ｃ），（Ｄ）の変化は、指を開いたり閉じたるする動作によって実現できる。例えば、図８（Ｄ）のように指を閉じる操作によって絞りを絞り、図８（Ｃ）のように指を開く操作によって絞りを開くようにすることで、ユーザの直感的な操作が可能となる。
【００６６】
図８（Ｅ），（Ｆ）は、タッチパッド２２ａを用いたフォーカス操作を示している。ユーザは、タッチパッド２２ａに接触している親指１０１ｔと人差し指１０１ｉの接触位置を、光軸方向にシフトさせる。例えば、図８（Ｅ）に示す状態から矢印に示すように２本の指１０１ｔ，１０１ｉを像面側にスライドさせて図８（Ｆ）の状態にする。タッチ判定部２３ｃは、図８（Ｅ），（Ｆ）のようなスライド操作を検出すると、フォーカス操作であるものと判定し、２本の指１０１ｔ，１０１ｉのタッチ位置の移動方向（光軸方向）及び移動量に応じて、ピント位置の調整操作が行われたことを示す判定結果及び制御量を出力する。
【００６７】
図８（Ｅ），（Ｆ）の状態の変化は、光軸方向に指を移動させることで生じるものである。ユーザにとって、指を物体側又は像面側に移動させる行為は、図２に示すレンズ群を移動させてピント位置を変化させる行為として認識しやすく、ユーザの直感的な操作によってピント合わせが可能となる。
【００６８】
なお、図８（Ｇ）はタッチパッド２２ａを鉛直方向の上端又は下端の位置において、親指１０１ｔと人差し指１０１ｉによって挟んだ状態を示している。この場合には、タッチ判定部２３ｃは、絞りを設定値に固定する、所謂絞り込みプレビュー操作が行われたものと判定する。
【００６９】
一般的なデジタルカメラにおいては、撮影の瞬間にのみ絞りの設定値が有効となり、スルー画表示時には、絞りは開放状態である。撮影時の絞りを撮影前に確認可能とするために、従来、本体側で絞りを設定値に変化させて表示を行う絞り込みプレビューのための操作が可能である。しかしながら、本体側で絞り込みプレビューのための操作を行う必要があることから、シャッターチャンスを逃しやすい。
【００７０】
これに対し、本実施の形態においては、絞り込みプレビューを、構えた状態の左手で鏡筒２２の上下端のタッチパッド２２ａをタッチするという簡単な操作で実現すると共に、絞り込むという状態を左手の指で鏡筒２２の上下端を挟むという操作によって実現しており、より直感的で且つ簡単な操作での絞り込みプレビューが可能である。なお、図８（Ｇ）の状態で構えるためには、鏡筒２２を把持した指を持ち変える必要があるが、絞り込みプレビューは通常の撮影操作とは異なる確認操作であるので、他の操作と異なる構え方にすることで、誤操作を防止することができる。
【００７１】
なお、タッチパッド２２ａは、図６（Ｂ）のように指がタッチパッド２２ａ表面に押圧されたことを検出することができるので、タッチ判定部２２ｃは、２本の指１０１ｔ，１０１ｉによって上下端が押圧操作された場合には、絞り込みプレビュー操作が行われたものと判定するようにしてもよい。
【００７２】
なお、図８（Ａ），（Ｂ）,（Ｅ），（Ｆ）に示す操作を同時に行って、同時にこれらの操作を検出してもよく、図８（Ｃ）〜（Ｆ）に示す操作を同時に行って、同時にこれらの操作を検出してもよい。
【００７３】
図９はタッチ判定部２３ｃの判定フローを示すフローチャートである。
【００７４】
タッチ判定部２３ｃは、図９のステップＳ１において、ユーザの指がタッチパッド２２ａ表面の鏡筒２２の上下端の位置に触れているか否か、即ち、図８（Ｇ）の状態であるか否かを判定する。タッチ判定部２３ｃは、ステップＳ２において、タッチパッド２２ａに触れている指の距離が変化していないか否かを判定し、ステップＳ３において、指のタッチ位置が周方向に移動しているか否かを判定する。ステップＳ２，Ｓ３の判定によって、図８（Ａ），（Ｂ）の状態の変化を判定することができる。
【００７５】
また、タッチ判定部２２ｃは、ステップＳ２において指の距離が変化していないと判定した場合には、更に、ステップＳ４において指のタッチ位置が鉛直下方向（掌方向）に移動したか否か、即ち、図８（Ｃ），（Ｄ）の状態の変化があったか否かを判定する。
【００７６】
また、タッチ判定部２２ｃは、ステップＳ３において指が周方向の移動ではないと判定した場合には、ステップＳ５において指のタッチ位置が物体方向に移動しているか否かを判定する。即ち、ステップＳ５の判定によって、図８（Ｅ），（Ｆ）の状態の変化があったか否かが判定される。
【００７７】
指のタッチ位置が物体方向に移動している場合には、タッチ判定部２３ｃは、移動量に応じてフォーカス制御量を算出して、近距離側に合焦させるための判定結果を出力する（ステップＳ１７）。逆に、指のタッチ位置が像面方向に移動している場合には、タッチ判定部２３ｃは、移動量に応じてフォーカス制御量を算出して、無限遠側に合焦させるための判定結果を出力する（ステップＳ１８）。
【００７８】
タッチ判定部２３ｃは、指のタッチ位置の移動量に応じて、制御量を決定する。例えば、タッチ判定部２３ｃは、制御量を下記（１）式によって求める。
【００７９】
制御量＝移動量×ゲイン      …（１）
なお、タッチ判定部２３ｃは、ゲインを短時間当たりの移動量に応じて変化させてもよい。例えば、ゆっくりした指の移動の場合にはゲインを小さくし、指の動きが速くなる程ゲインを大きくする。これにより、ユーザは例えば指を早く動かすことで、フォーカスを高速に変化させることができ、指をゆっくり動かすことで、微妙なフォーカス制御が可能である。
【００８０】
また、図８（Ａ），（Ｂ）に示す操作が行われると、タッチ判定部２３ｃは、ステップＳ６において指のタッチ位置の周方向の移動が反時計方向であるか否かを判定する。反時計方向に移動している場合には、テレ方向へのズーム制御操作が行われたものと判定する。なお、この場合においても、ズーム制御量は上記（１）式によって求められる。
【００８１】
タッチ判定部２３ｃは、ステップＳ８において、光学ズーム制御の限界であるズーム端に到達したか否かを判定する。タッチ判定部２３ｃは、ズーム端に到達した場合には、ズーム端信号を発生する。
【００８２】
指のタッチ位置の周方向の移動が時計方向である場合には、処理がステップＳ６からステップＳ１０に移行する。タッチ判定部２３ｃは、電子ズーム中であるか否かを判定し、電子ズーム中の場合には電子ズーム解除信号を発生する。タッチ判定部２３ｃは、電子ズーム中でない場合には、ワイド方向へのズーム制御操作であると判定する（ステップＳ１２）。この場合においても、ズーム制御量は上記（１）式によって求められる。
【００８３】
また、図８（Ｃ），（Ｄ）に示す操作、例えば、指のタッチ位置の鉛直下向きの操作が行われると、タッチ判定部２３ｃは、ステップＳ１３において、絞る方向の絞り操作が行われたものと判定する。逆に、指のタッチ位置の鉛直上向きの操作が行われると、タッチ判定部２３ｃは、ステップＳ１５において、開く方向の絞り操作が行われたものと判定する。この場合においても、絞り制御量は上記（１）式によって求められる。
【００８４】
タッチ判定部２３ｃは、ステップＳ１９においてタッチ検出位置を図示しないメモリに保存する。タッチ判定部２３ｃは、メモリに記憶したタッチ検出位置を用いて次回のタッチ位置の移動を検出する。
【００８５】
なお、図９のフローにおけるステップＳ１〜Ｓ６の判定の順序は変更可能であり、また、タッチ判定部２３ｃは、前回の指のタッチ位置の検出結果との今回の指のタッチ位置の検出結果の比較から、各判定を同時に行うことも可能である。
【００８６】
駆動制御部２３ａは、タッチ判定部２３ｃの判定結果に基づいて、駆動部２４及び絞り制御部２５を制御する。また、制御部２３は、タッチ判定部２３ｃの判定結果、レンズ情報、ピント位置、ズーム位置、絞り状態等の制御情報を通信部２８を介して本体部１０に送信する。本体部１０の信号処理及び制御部１１は、制御部２３からの情報に基づいて、各部を制御する。
【００８７】
信号処理及び制御部１１のレンズ状態取得部１１ｂは、レンズ情報や制御情報に基づいて、レンズ状態を取得する。操作情報取得部１１ｃは、タッチ判定部２３ｃによる判定結果に基づく操作情報を取得する。表示制御部１１ａは、レンズの状態や操作情報に基づいて、現在のレンズの状態や操作の状態を示す表示を、表示部３５に表示させることが可能である。
【００８８】
信号処理及び制御部１１は、撮像部１２からの撮像画像のコントラストを判定して判定結果を得る。光学系制御部１１ｄは、コントラストの判定結果に基づくオートフォーカス制御、自動露出制御等が可能であり、また、本体部１０に対するユーザ操作に基づいてフォーカス制御、ズーム制御及び絞り制御等の光学系の制御情報を生成して、交換レンズ２０の制御部２３に送信することができる。制御部２３は、本体部１０の操作によっても、フォーカス制御、ズーム制御、絞り制御等が可能である。
【００８９】
なお、本体部１０には加速度センサ１９も配設されている。加速度センサ１９は本体部１０の動きを検出して検出結果を信号処理及び制御部１１に出力する。信号処理及び制御部１１は、加速度センサ１９の検出結果によって、本体部１０の姿勢が安定しているか否かを判定することができる。例えば、信号処理及び制御部１１からの制御信号によって、交換レンズ２０の制御部２３のタッチ判定部２３ｃは、撮影機器１が撮影状態に構えられた場合のように、本体部１０の姿勢が安定している場合にのみ、タッチ判定を行うようにしてもよい。これにより、誤操作によって各種制御が行われることを防止することができる。
【００９０】
また、タッチ判定部２３ｃは、タッチ位置の僅かな移動については、操作が行われていないものとして無視するようにしてよい。これにより、誤操作によって各種制御が行われることを防止することができる。
【００９１】
次に、このように構成された実施の形態の動作について図１０のフローチャートを参照して説明する。図１０は本体側のカメラ制御を説明するためのフローチャートである。
【００９２】
撮影機器１の電源が投入されると、信号処理及び制御部１１は、図１０のステップＳ２１において、撮影モードが指示されたか否かを判定する。撮影モードが指示されていない場合には、信号処理及び制御部１１は、ステップＳ２２において、再生モードが指示されたか否かを判定する。再生モードが指示されると、信号処理及び制御部１１は、ステップＳ２３において、サムネイルの一覧表示を行う。サムネイル一覧を参照したユーザによる画像の選択が行われると、ステップＳ２４からステップＳ２５に処理を移行して、信号処理及び制御部１１は選択画像の再生を行う。再生が終了すると（ステップＳ２６）、ファイル一覧表示を繰り返す。ファイル選択が行われない場合には、ステップＳ２７において再生モードの終了を判定する。
【００９３】
一方、撮影モードが指示されると、信号処理及び制御部１１は、ステップＳ３１において、撮像部１２からの画像信号に基づいて、表示部１８に撮像画像（スルー画）をライブビュー表示させる。なお、この場合には、信号処理及び制御部１１の光学系制御部１１ｄは、絞りを開放状態にするように制御を行う。次のステップＳ３２において、信号処理及び制御部１１は、交換レンズ２０の制御部２３との間でカメラ通信を行い、レンズ情報、制御情報及び操作情報を取得する。
【００９４】
次に、信号処理及び制御部１１は、ステップＳ３３において、絞り込みプレビュー操作があったか否かを判定する。ユーザが図８（Ｇ）に示すように、鏡筒２２の上下端をタッチする操作を行った場合には、タッチ判定部２３ｃから絞り込みプレビュー操作が行われたことを示す判定結果が信号処理及び制御部１１に与えられ、信号処理及び制御部１１は、撮像画像のゲインアップを行う（ステップＳ３４）。これにより、絞りの設定値に従って絞り込みが行われた場合でも、十分な明るさの撮像画像を表示部３５に表示することができる。
【００９５】
次に、信号処理及び制御部１１は、ステップＳ３５において、電子ズーム操作があったか否かを判定する。ユーザが本体部１０の図示しない操作部によって電子ズーム操作を行った場合、或いは、制御部２３からズーム端信号が発生している状態で、ユーザが図８（Ａ），（Ｂ）に示すように、指の間隔を維持したまた周方向にタッチ位置を回転させる操作を行って、タッチ判定部２３ｃからズーム操作が行われたことを示す判定結果が信号処理及び制御部１１に与えられた場合には、信号処理及び制御部１１は、撮像画像の電子ズームを行う（ステップＳ３６）。こうして、ユーザは、鏡筒２２のタッチパッド２２ａにタッチしている指を回転させる動作によって、光学ズーム及び電子ズーム操作を行うことができる。
【００９６】
信号処理及び制御部１１は、ステップＳ３７において、レンズパラメータに変化があったか否かを判定する。レンズパラメータに変化があった場合には、表示制御部１１ａは、レンズパラメータに変化があったことを示す表示を表示する（ステップＳ３８）。例えば、表示制御部１１ａは、図７（Ｂ）に示すように、絞りの変更操作があった場合には、変更された設定値（Ｆ値）を表示画面３５ａ上に表示させる。
【００９７】
次に、ステップＳ３９において、撮影操作が行われたか否かが判定される。例えばレリーズボタン操作等によって静止画撮影が指示されると、信号処理及び制御部１１は、ステップＳ４０において撮影を行う。即ち、信号処理及び制御部１１は、撮像部１２からの撮像画像に信号処理を施して圧縮した後、記録部１６に与えて記録を開始する。また、信号処理及び制御部１１は、ステップＳ４１において、動画撮影操作が行われたか否かを判定する。動画撮影操作が行われると、信号処理及び制御部１１は、動画撮影を開始する（ステップＳ４２）。動画撮影の終了操作が行われると、信号処理及び制御部１１は、ステップＳ４４において、動画撮影を終了すると共に、記録部１６の記録画像をファイル化する。
【００９８】
このように本実施の形態においては、鏡筒に配設したタッチパッドに対する簡単で且つ直感的で違和感のない操作によって、フォーカシング、ズーミング、絞り調整等が可能である。
【００９９】
また、上記説明は、タッチ判定部の判定方法の一例を示したものであり、タッチ判定の方法として種々の方法を採用することができることは明らかである。例えば、上記説明では、最初にタッチする位置については制限を設けていないが、最初にタッチする位置に応じてタッチ判定部の判定方法を変更してもよい。
【０１００】
例えば、図２のレンズ群は、前方側（物体側）にピント制御用のレンズ群Ｇ２が配置され、後方側（像面側）にズーム制御用のレンズ群Ｇ３，Ｇ４が配置されている。従って、タッチパッドの比較的前方側で最初にタッチした場合には、ピント制御操作であるものと判定し、比較的後方側で最初にタッチした場合には、ズーム制御操作であるものと判定してもよい。
【０１０１】
また、上記実施の形態では、２本の指で操作する例について説明したが、タッチパッドをタッチする指の数によって操作の判定方法を変更してもよい。例えば、２本指でのタッチ操作が行われた場合には、フォーカシング、ズーミング、絞りの調整操作であるものと判定し、更に３本目の指がタッチされると、絞り込みプレビュー操作であるものと判定してもよい。３本目の指を加えることで、絞り込みを固定することが直感的に理解しやすい。
【０１０２】
（第２の実施の形態）
図１１は本発明の第２の実施の形態を示すブロック図である。図１１において図１と同一の構成要素には同一符号を付して説明を省略する。
【０１０３】
第１の実施の形態においては、交換レンズ２０にタッチ判定部２３ｃを設ける例について示したが、タッチ判定部を本体部１０の信号処理及び制御部に設けてもよい。交換レンズ２００は、タッチ判定部２３ｃを省略した制御部３３を採用した点が図１の交換レンズ２０と異なる。本体部１００は、タッチ判定部１１ｅを付加した信号処理及び制御部３１を採用した点が図１の本体部１０と異なる。
【０１０４】
交換レンズ２００の制御部３３は、タッチ検出部２７の検出結果を通信部２８を介して本体部１００に送信する。本体部１００の信号処理及び制御部３１は、通信部１３を介してタッチ検出結果を受信しタッチ判定部１１ｅに与える。タッチ判定部１１ｅは、第１の実施の形態におけるタッチ判定部２３ｃと同様に動作して、操作の判定を行う。信号処理及び制御部３１は、タッチ判定部１１ｅの判定結果及び制御量の情報に基づいて、光路部２１を制御するための制御信号を生成して交換レンズ２００の制御部３３に送信する。
【０１０５】
このように構成された実施の形態においては、図１２のフローチャートに従ってレンズ制御が行われる。図１２のステップＳ５１において、交換レンズ２００の制御部３３と本体部１００の信号処理及び制御部３１との間でカメラ通信が行われる。これにより、タッチ検出部２７の検出結果が交換レンズ２００から本体部１００のタッチ判定部１１ｅに供給されると共に、タッチ判定部１１ｅの判定結果に基づく制御信号が信号処理及び制御部３１から交換レンズ２００の制御部３３に供給される。
【０１０６】
制御部３３は、カメラ通信によって得た制御信号に基づいて、ピント、ズーム、絞り等を制御する（ステップＳ５２）。ステップＳ５３では、タッチ検出部２７においてタッチ操作が検出され、検出結果が本体部１００に送信される。
【０１０７】
このように本実施の形態においても、第１の実施の形態と同様の効果が得られる。
【０１０８】
上記各実施の形態においては、例えば図７（Ｂ）に示すように、タッチ操作の状態を表す表示９７を表示する例を示した。更に、操作をより直感的に把握させるために、タッチ操作と実際の機構の動きとを関連付けたアニメーション表示を表示させるようにしてもよい。
【０１０９】
図１３はこのようなアニメーション表示の表示例を示す説明図である。図１３は図７（Ｂ）に対応するスルー画表示を示しており、スルー画９８中には、人物、建物及び山に夫々対応する画像９４ａ，９５ａ，９６ａが撮像されていることを示している。
【０１１０】
撮影者が撮影を開始すると、スルー画が表示画面３５ａ上に表示される。図１３（Ａ）は撮影開始直後において、人物にピントが合っておらず人物の画像９４ａがぼけている状態を示している。この状態でユーザがタッチパッド２２ａをタッチして図８（Ｅ），（Ｆ）に示す光軸方向のスライド操作を行うものとする。この操作は、フォーカシングのための操作であり、タッチ判定部２３ｃ，１１ｅは、フォーカシングのための操作が行われたことを示す判定結果及び制御量を出力する。
【０１１１】
一方、信号処理及び制御部１１，３１は、レンズ情報を受信しており、レンズ群の構成を把握している。信号処理及び制御部１１，３１は、タッチ操作の判定結果によってフォーカシング操作が行われたことが示されると、レンズ情報に対応した表示１１１を表示画面３５ａ上に表示する。表示１１１は、例えば、図２に示す５群のレンズによって構成され、前から２番目のレンズ群がピント合わせ用のレンズ群であって、このレンズ群を前後に移動させることでフォーカシング可能であることを矢印によって示している。
【０１１２】
信号処理及び制御部１１，３１の表示制御部１１ａは、ユーザのスライド操作に従って、２番目のレンズ群の表示１１１ａを移動させる。こうして、ユーザは、人物にピントを合わせることができ、人物の画像９４ａを明瞭になる。なお、図１３（Ｂ）では、背景の山の画像９６ａはぼけた状態になっていることを示している。
【０１１３】
このように、図１３の例は、タッチ操作と実際の機構の動きとを関連させて表示しており、ユーザは自分の操作の状態を直感的に把握しやすい。
【０１１４】
（同時判定の例）
ところで、図９のフローでは、フォーカシング、ズーミング、絞り調整、絞り込みプレビュー操作を別々に判定する例を示したが、上述したように、これらの判定を同時に行うことも可能である。図１４乃至図１７はこのような同時判定を説明するためのものである。図１４は撮影の様子を示す説明図であり、図１５はタッチ操作を説明するための説明図であり、図１６はタッチパッド２２ａ上のタッチ位置の変化を説明するための説明図であり、図１７は判定フローを示すフローチャートである。なお、以下の説明はタッチ判定部２３ｃ，１１ｅのいずれにも適用可能である。
【０１１５】
図１４に示すように、撮影者９１は、左手９２Ｌ及び右手９２Ｒで本体部１０を把持して、撮影のために構えている。いま、撮影者９１が、建物９５及び山９６を背景にした人物９４を撮影する状態から、人物９４よりも遠くの位置で飛ぶ鳥１２１を撮影しようとするものとする。この場合において、撮影者９１は、シャッターチャンスを逃すことなく、遠くの鳥１２１を拡大して撮影しようとするために、ピント及びズームを同時に短時間で切換える必要がある。
【０１１６】
このような場合には、撮影者９１は図１５に示す操作を行う。図１５（Ａ）は近くの人物９４を撮影する状態の左手９２Ｌの構えを示している。即ち、撮影者９１は、左手９２Ｌの親指１０１ｔと人差し指１０１ｉをタッチパッド２２ａにタッチしている。この場合に、ピント及びズームを同時に変化させるために、図８（Ａ），（Ｂ）に示す回転方向のスライド操作及び図８（Ｅ），（Ｆ）に示す光軸方向のスライド操作を同時に行う。図１５（Ｂ）はこのようなスライド操作によって、遠くの鳥１２１を撮影する状態に変化した左手９２Ｌの構えを示している。
【０１１７】
図１６は鏡筒２２の周方向の所定の位置を基準とした周方向（Ｘ方向）のタッチ位置と光軸方向（Ｙ方向）のタッチ位置とを丸印で示し、スライド操作におけるタッチ位置の変化を示すものである。丸印１３１ｔａ，１３１ｉａは、夫々図１５（Ａ）に対応した親指１０１ｔ及び人差し指１０１ｉのタッチ位置を示し、丸印１３１ｔｂ，１３１ｉｂは、夫々図１５（Ｂ）に対応した親指１０１ｔ及び人差し指１０１ｉのタッチ位置を示している。図１６に示すように、操作前後において、親指１０１ｔと人差し指１０１ｉとの距離は一定であり、操作前におけるＸ方向の変化方向及び変化量が、ズームの変化方向及び制御量に対応する。また、操作前後におけるＺ方向の変化方向及び変化量が、フォーカス制御の方向及び制御量に対応する。
【０１１８】
なお、タッチ位置の変化量に比例した制御量を求めるだけでなく、タッチ位置の変化速度に応じて制御量を求めても良い。タッチ位置の単位時間の変化に応じて制御量を変えるために、図１７の例では、ステップＳ６１において、タッチ判定部２３ｃは、判定時間ｔを求める。次に、タッチ判定部２３ｃは、タッチ検出部２７が検出したタッチ位置（Ｘ，Ｚ）を取り込む（ステップＳ６２）。次に、タッチ判定部２３ｃは、タッチ位置が変化しているか否かを判定する（ステップＳ６３）。
【０１１９】
タッチ位置が変化している場合には、タッチ判定部２３ｃは、ステップＳ６４においてタッチ位置の変化方向から制御種別を決定し、ステップＳ６５においてタッチ位置の変化量から制御量を決定する。
【０１２０】
この場合に、タッチ判定部２３ｃは、タッチ位置の変化方向と制御種別との関係を図９に従って決定してもよい。そうすると、図１６に示すタッチ位置の変化に対して、タッチ判定部２３ｃは、ズーム制御及びフォーカス制御を行うものと判定することになる。
【０１２１】
また、タッチ判定部２３ｃは、制御量を単位時間当たりの変化によって決定してもよい。例えば、タッチ判定部２３ｃは、０．１秒でＸ方向のタッチ位置の変化が０．３ｃｍなら、焦点距離を１０ｍｍずつ変化させ、また、０．１秒でＺ方向に０．３ｃｍタッチ位置が変化すると、レンズ繰り出し量を０．３ｍｍずつ変化させるように、制御量を決定する。また、例えば、タッチ判定部２３ｃは、絞りを１段づつとか１／３段ずつとか、切換可能としてもよい。
【０１２２】
また、タッチ判定部２３ｃは、タッチ位置の変化量ΔＸ，ΔＺが所定量より大きい場合、例えば、０．１秒で１ｃｍ等、指の可動範囲から決定される量を超えた場合には、望遠端又は無限遠にする決定を行ってもよい。その場合、望遠端または無限遠に制御している間に、逆方向への操作（タッチ変化）があった場合には、その途中で停止させても良い。これも、本発明ならではの、直感的な操作でメカ駆動を制御できるという特徴を活かしたものとなる。
【０１２３】
このように、上記各実施の形態において、タッチ位置の方向及び変化量に応じて、複数の操作を同時に判定することも可能である。即ち、タッチパッド上のタッチ位置を変化させるという簡単な操作によって、複数の制御機能を達成する操作を短時間に行うことができる。また、直感的な操作によってレンズ機能を制御することができ、操作性を著しく向上させることができる。
【０１２４】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。
【０１２５】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【０１２６】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【符号の説明】
【０１２７】
１…撮影機器、１０…本体部、１１…信号処理及び制御部、１１ａ…表示制御部、１１ｂ…レンズ状態取得部、１１ｃ…操作情報取得部、１１ｄ…光学系制御部、１２…撮像部、２０…交換レンズ、２１…光路部、２２…鏡筒、２２ａ…タッチパッド、２３…制御部、２３ａ…駆動制御部、２３ｂ…リセット部、２３ｃ…タッチ判定部、２７…タッチ検出部、３５…表示部。
【図１】
2014045276.tif 000003
【図２】
2014045276.tif 000004
【図３】
2014045276.tif 000005
【図４】
2014045276.tif 000006
【図５】
2014045276.tif 000007
【図６】
2014045276.tif 000008
【図７】
2014045276.tif 000009
【図８】
2014045276.tif 000010
【図９】
2014045276.tif 000011
【図１０】
2014045276.tif 000012
【図１１】
2014045276.tif 000013
【図１２】
2014045276.tif 000014
【図１３】
2014045276.tif 000015
【図１４】
2014045276.tif 000016
【図１５】
2014045276.tif 000017
【図１６】
2014045276.tif 000018
【図１７】
2014045276.tif 000019